(57)【要約】【課題】  本発明は、印刷物に生じる色彩変化が、使用する光学的変化インキ中に含まれる機能性材料の光学特性に依存することなく、色彩設計の自由度が良好な印刷物を提供する。【解決手段】  本発明は、基材上に、正反射光下で第一の色彩を有するインキから成る蒲鉾状の第一の画線を第一の方向、かつ、第一のピッチで規則的に複数配列して形成した第一の画像と、第一の画像の上に、正反射光下で第一の色彩と異なる第二の色彩を有するインキから成る第二の画線を第二の方向、かつ、第二のピッチで規則的に複数配列して形成した第二の画像を積層した印刷画像を有し、正反射光下で視認角度を変化させた場合には、印刷画像中に、第一の色彩が支配的な色彩と、第二の色彩が支配的な色彩と、第一の色彩と第二の色彩が混色した色彩とが出現し、第一の画線と第二の画線の干渉により印刷画像中の色彩が大きく変化して視認されることを特徴とする色変化印刷物である。【選択図】  図１
2014083721.tif 000002
【特許請求の範囲】
【請求項１】
基材上の少なくとも一部に、明暗フリップフロップ性及び／又はカラーフリップフロップ性を有し、正反射光下で第一の色彩を発するインキから成る同一幅の蒲鉾状の第一の画線を第一の方向、かつ、第一のピッチで規則的に複数配列して形成した第一の画像と、
前記第一の画像の上に、正反射光下で前記第一の色彩と異なる第二の色彩を発するインキから成る第二の画線を第二の方向、かつ、第二のピッチで規則的に複数配列して形成した第二の画像を積層した印刷画像を有し、
前記第二の画線は、前記第一の画線の少なくとも一部を露出させるように前記第一の画線上に配置され、
正反射光下で観察した場合、前記印刷画像中に、前記第一の色彩が支配的な色彩、前記第二の色彩が支配的な色彩及び前記第一の色彩と前記第二の色彩が混色した色彩のいずれか又は複数の色彩が出現し、正反射光下で前記印刷画像の視認角度を変化させた場合には、前記第一の画線と前記第二の画線の干渉により前記印刷画像中の色彩が大きく変化して視認されることを特徴とする色変化印刷物。
【請求項２】
前記第二の画像は、前記第二の画線の一部の位相をずらして形成した第一の領域と第二の領域を有することを特徴とする請求項１記載の色変化印刷物。
【請求項３】
前記第二のピッチは、前記第一のピッチの８０％から１２０％の大きさであることを特徴とする請求項１又は請求項２記載の色変化印刷物。
【請求項４】
前記第一の方向と前記第二の方向は、同一又は異なる方向であることを特徴とする請求項１乃至３いずれか１項記載の色変化印刷物。
【請求項５】
前記印刷画像は、前記第二の画像上に、前記第一の色彩及び前記第二の色彩と異なる第三の色彩を有するインキから成る第三の画線を前記第一の画線及び前記第二の画線の少なくとも一部を露出させるように前記第一の画線上に、第三の方向、かつ、第三のピッチで規則的に複数配列して形成した第三の画像を有することを特徴とする請求項１乃至４いずれか１項記載の色変化印刷物。
【請求項６】
前記第三のピッチは、前記第一のピッチの８０％から１２０％の大きさであることを特徴とする請求項５項記載の色変化印刷物。
【請求項７】
前記第一の方向、前記第二の方向、及び前記第三の方向は、同一又は異なる方向であることを特徴とする請求項５又は請求項６記載の色変化印刷物。
【発明の詳細な説明】
【技術分野】
【０００１】
本発明は、偽造防止効果を必要とするセキュリティ印刷物である銀行券、パスポ−ト、有価証券、身分証明書、カ−ド及び通行券等の貴重印刷物の分野において、正反射光下で画像の色彩が大きく変化する色変化印刷物に関するものである。
【背景技術】
【０００２】
近年のスキャナ、プリンタ及びカラーコピー機等のデジタル機器の進展により、貴重印刷物の精巧な複製物を容易に作製することが可能となっている。そのような複製や偽造を防止するために、偽造防止技術が必要とされている。また、前述のような偽造防止技術の中でも、すかしやホログラム等に代表される、道具を必要とせず、印刷物を手にした全ての人が真偽判別に利用することができる偽造防止技術が特に必要とされている。
【０００３】
このような道具を必要とせず、万人が真偽判別に利用することができる偽造防止技術の一つとして、光を反射させることで色彩が変化する機能性顔料を含んだインキである、光学的変化インキを利用した偽造防止技術がある。これらのインキを使用して印刷した画像は、光を反射することで色彩が変化するため、判別者は、その色彩変化を確認することで印刷物の真偽を判別することができる。この光学的変化インキの代表例としては、日本銀行券全券種に使用されているパールインキや二千円券に使用されているＯＶＩ（Ｏｐｔｉｃａｌ  ｖａｒｉａｂｌｅ  Ｉｎｋ）等がある。前者は、特定の反射角度において画像が透明からピンク色に変化し、後者は青緑色から紫色に変化する。
【０００４】
一方、これらの光学的変化インキの色彩変化を進化させた技術として、動的な色彩変化を有する技術が存在する。動的な色彩変化とは、従来の技術のように、ある特定の反射角度で印刷画像全体の色彩がある色彩から異なる色彩へと一気に変化する色彩変化とは異なり、特定の反射角度において、印刷画像中のある一部の領域の色彩が、ある色彩から異なる色彩へと徐々に変化し、かつ、その領域も反射角度を変えることで動いて見える色彩変化を指す。この技術は、印刷画像中に出現した色彩の異なる領域が動いて見えることから与えるインパクトが強く、より高い真偽判別性を有する。
【０００５】
前述の動的な色彩変化を実現した技術は、磁性層を含有する光学的変化インキを印刷した後、磁場によりインキの配向性を変化させることで色彩を制御するものが現在の技術的主流であり、これらの技術は、現在、海外の紙幣でも活用されている（例えば、特許文献１及び特許文献２参照）。
【０００６】
また、その他の類似技術として、エンボス部の上に光干渉顔料を含むカラーシフト効果層を設けた技術であって、エンボスパターンの角度を変えることで色彩を制御する技術が存在する（例えば、特許文献３参照）。
【先行技術文献】
【特許文献】
【０００７】
【特許文献１】特表２００５−５１２７６１号公報
【特許文献２】特表２００８−５２９８２３号公報
【特許文献３】特許第４９６７５６９号公報
【発明の概要】
【発明が解決しようとする課題】
【０００８】
しかしながら、特許文献１及び特許文献２に記載の技術は、色彩変化に優れた印刷物を提供することはできるものの、インキ中に含まれる色彩変化材料の配向を変化させるために磁気を与えることが必須であることから、専用の製造装置が必要であって、コスト高であるという問題があった。
【０００９】
また、特許文献１から特許文献３に記載のいずれの技術においても、正反射光下で印刷物中に生じる色彩変化は、インキ中に含まれる特定の機能性顔料の光学特性によって生じる効果であり、言い換えれば、機能性材料自体が発することができる色彩以外は、印刷物中に生じさせることはできない。例えば、正反射光下で印刷物に赤から緑へ色彩が変化する効果を付与するためには、正反射光下で赤から緑へ色彩が変化する機能性顔料が必要であり、青から黄色へ色彩が変化する効果を付与するためには、青から黄へと色彩が変化する機能性顔料が必要である。いずれの技術も、正反射光下で印刷物に生じさせ得る色彩は、顔料メーカが提供する機能性顔料の光学特性に完全に依存しているため、印刷物を製造する印刷メーカ側の色彩設計の自由度が極めて低いという問題があった。
【００１０】
本発明は前述の課題の解決を目的とするものであり、一般的な製造設備を用いて作製可能であり、かつ、材料が持つ色彩変化の幅に限定されない優れた色彩変化範囲を備えた色変化印刷物に関する発明である。
【課題を解決するための手段】
【００１１】
本発明は、基材上の少なくとも一部に、明暗フリップフロップ性及び／又はカラーフリップフロップ性を有し、正反射光下で第一の色彩を発するインキから成る同一幅の蒲鉾状の第一の画線を第一の方向、かつ、第一のピッチで規則的に複数配列して形成した第一の画像と、第一の画像の上に、正反射光下で第一の色彩と異なる第二の色彩を発するインキから成る第二の画線を第二の方向、かつ、第二のピッチで規則的に複数配列して形成した第二の画像を積層した印刷画像を有し、第二の画線は、第一の画線の少なくとも一部を露出させるように第一の画線上に配置され、正反射光下で観察した場合、印刷画像中に、第一の色彩が支配的な色彩、第二の色彩が支配的な色彩及び第一の色彩と第二の色彩が混色した色彩のいずれか又は複数の色彩が出現し、正反射光下で印刷画像の視認角度を変化させた場合には、第一の画線と第二の画線の干渉により印刷画像中の色彩が大きく変化して視認されることを特徴とする色変化印刷物である。
【００１２】
また、本発明の色変化印刷物における第二の画像は、第二の画線の一部の位相をずらして形成した第一の領域と第二の領域を有することを特徴とする色変化印刷物である。
【００１３】
また、本発明の色変化印刷物における第二のピッチは、第一のピッチの８０％から１２０％の大きさであることを特徴とする色変化印刷物である。
【００１４】
また、本発明の色変化印刷物は、第一の方向と第二の方向が同一又は異なる方向であることを特徴とする色変化印刷物である。
【００１５】
また、本発明の色変化印刷物における印刷画像は、第二の画像上に、第一の色彩及び第二の色彩と異なる第三の色彩を有するインキから成る第三の画線を第一の画線及び第二の画線の少なくとも一部を露出させるように第一の画線上に、第三の方向、かつ、第三のピッチで規則的に複数配列して形成した第三の画像を有することを特徴とする色変化印刷物である。
【００１６】
また、本発明の色変化印刷物における第三のピッチは、第一のピッチの８０％から１２０％の大きさであることを特徴とする色変化印刷物である。
【００１７】
さらに、本発明の色変化印刷物は、第一の方向、第二の方向及び第三の方向が、同一又は異なる方向であることを特徴とする色変化印刷物である。
【発明の効果】
【００１８】
本発明の色変化印刷物において生じる色彩変化は、二つの印刷画像の積層構造に由来するため、使用する光学的変化インキ中に含まれる機能性材料の光学特性のみに依存するものではない。そのため、顔料メーカがその効果を実現することができる機能性材料を販売していない色彩変化であっても、本色変化印刷物を用いることで容易に実現することができることから、色彩設計の自由度が格段に向上する。
【００１９】
また、本発明の色変化印刷物では、画線構成をわずかに変えるだけで単純な色彩変化からより複雑で動的な色彩変化まで、幅広い色彩変化を実現することができる。また、専用の作製装置や機械を必要とせず、既存の印刷機を用いることで作製可能であり、コストパフォーマンスが高い。
【００２０】
また、本発明の色変化印刷物は、最新のデジタル機器を用いたとしても色彩変化の再現は不可能であることから、偽造防止効果に優れる。
【図面の簡単な説明】
【００２１】
【図１】本発明における色変化印刷物を示す図
【図２】本発明における色変化印刷物の構成の概要を示す図
【図３】本発明における第一の画像を示す図
【図４】本発明における第二の画像を示す図
【図５】（ａ）（ｂ）（ｃ）は、本発明における色変化印刷物を正反射光下で観察角度を変えて視認した場合に、観察者に視認される画像を示す図
【図６】本発明における第二の画像を示す図
【図７】（ａ）（ｂ）（ｃ）は、本発明における色変化印刷物を正反射光下で観察角度を変えて視認した場合に、観察者に視認される画像を示す図
【図８】本発明における第二の画像を示す図
【図９】（ａ）（ｂ）（ｃ）は、本発明における色変化印刷物を正反射光下で観察角度を変えて視認した場合に、観察者に視認される画像を示す図
【図１０】本発明における色変化印刷物の構成の概要を示す図
【図１１】（ａ）は、第二の画像を示し、（ｂ）は、第三の画像を示す図
【図１２】（ａ）（ｂ）（ｃ）は、本発明における色変化印刷物を正反射光下で観察角度を変えて視認した場合に、観察者に視認される画像を示す図
【図１３】本発明における色変化印刷物を示す図
【図１４】本発明における色変化印刷物の構成の概要を示す図
【図１５】（ａ）は、本発明における第一の画像を示す。（ｂ）は、第二の画像を示す図
【図１６】（ａ）（ｂ）（ｃ）は、本発明における色変化印刷物を正反射光下で観察角度を変えて視認した場合に、観察者に視認される画像を示す図
【図１７】本発明における色変化印刷物を示す図
【図１８】本発明における色変化印刷物の構成の概要を示す図
【図１９】（ａ）は、本発明における第一の画像を示す図
【図２０】（ａ）は、第二の画像を示し、（ｂ）は、第三の画像を示す図
【図２１】（ａ）（ｂ）（ｃ）は、本発明における色変化印刷物を正反射光下で観察角度を変えて視認した場合に、観察者に視認される画像を示す図
【発明を実施するための形態】
【００２２】
（第一の実施の形態）
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２３】
図１に、本発明における色変化印刷物（１）を示す。図１（ａ）に示すのは、色変化印刷物（１）の正面図であり、図１（ｂ）に示すのは、色変化印刷物（１）のＡ‐Ａ´ラインにおける断面図である。色変化印刷物（１）は、基材（２）の上に、印刷画像（３）が形成されてなる。基材（２）は、印刷画像（３）を形成することができれば、紙、プラスティック及び金属等から選択することができ、その材質は問わない。印刷画像（３）は、透明、半透明又は着色されていても良く、色彩の制約はない。また、印刷画像（３）の大きさについては、基材（２）に印刷可能な大きさであれば、特に制限はない。
【００２４】
また、第二の画像（５）を形成する第二の画線（７）は、第一の画像（４）を形成する第一の画線（６）の少なくとも一部を露出させるように第一の画線（６）上に配置されていれば良い。なお、第一の画線（６）と第二の画線（７）のピッチが異なる場合、図１（ｂ）に示すように、複数配置されている第二の画線（７）の中の一部の画線が、第一の画線（６）と基材（２）上に第二の画線（７）の一部が跨るように配置するか、又は一部の第二の画線（７）が基材（２）上にのみ配置されていることも有るが、本発明の効果を損なうものではないため特に問題とはならず、本発明の技術的範囲に含まれる。
【００２５】
また、後述する第三の画像を形成する第三の画線についても、第一の画線（６）及び第二の画線（７）の少なくとも一部を露出させるように配置されていれば良く、第三の画線のピッチが、第一の画線（６）と第二の画線（７）のピッチが異なる場合についても、第一の画線（６）、基材（２）及び第二の画線（７）の一部に第三の画線が跨るように配置するか、又は一部の第三の画線が、基材（２）上にのみ配置されていても良い。
【００２６】
次に、本発明の印刷画像（３）の構成の概要について図２を用いて説明する。印刷画像（３）は、第一の画像（４）の上に第二の画像（５）が重ねて形成される。本発明の色変化印刷物（１）の印刷画像（３）の領域は、第一の画像（４）と第二の画像（５）が重なり合った領域がそれに当たる。本発明において、第一の画像（４）と第二の画像（５）は、基本的に、同じ大きさである。仮に第一の画像（４）より第二の画像（５）の面積が小さい場合、あるいはその逆の場合、第一の画像（４）と第二の画像（５）が重なりあった領域のみが色変化を伴う印刷画像（３）となり、第一の画像（４）と第二の画像（５）が重なっていない領域は、本発明に必須の要素ではなく、デザイン上の付加的要素と見なすこととする。
【００２７】
図３に第一の画像（４）を示す。第一の画像（４）は、明暗フリップフロップ性及び／又はカラーフリップフロップ性を有し、蒲鉾状の盛り上がりを有する、画線幅Ｗ１の第一の画線（６）が特定のピッチＰ１で第一の方向（図中Ｓ１方向）に複数配されてなる。なお、本発明における蒲鉾状とは、蒲鉾形立体のみならず、半円形状又は半楕円形状等の半円立方体の形状も含まれる。
【００２８】
図４は、本実施の形態における第二の画像（５）を示すものであり、第二の画像（５）は、画線幅Ｗ２の着色インキから成る第二の画線（７）を特定のピッチＰ２で第二の方向（図中Ｓ１方向）に複数配されてなる。ピッチＰ１とピッチＰ２は、同じであっても異なっていても良く、第一の方向と第二の方向は、同じであっても異なっていても良い。ただし、第二のピッチは、第一のピッチの大きさの８０％から１２０％の大きさであり、第一の方向と第二の方向の角度差は１０°以内に留めることが、色彩変化を効果的に見せる上で望ましい。なお、第一の実施の形態では、ピッチＰ１とピッチＰ２とが異なる値であり、第一の方向と第二の方向が同じ方向である例について説明する。
【００２９】
なお、本発明における「明暗フリップフロップ性」とは、物質に光が入射した場合に、物質の明度のみが変化する性質を指し、「カラーフリップフロップ性」とは、物質に光が入射した場合に、物質の色相が変わる性質を指す。明暗フリップフロップ性を備えたインキとしては、金色や銀色等のメタリック系の金属インキやグロスタイプの着色インキがある。一般的に艶があると感じられる物質は、明暗フリップフロップ性を備える。例えば、銀インキは、光を強く反射しない拡散反射光下において暗い灰色にしか見えないが、光を強く反射する正反射光下では、より淡い灰色か、又は白色に見える。このように、「明暗フリップフロップ性」を有するインキは、正反射光下で明度のみが変化する。
【００３０】
一方、カラーフリップフロップ性を備えた、印刷で用いるインキとしては、パールインキや液晶インキ、ＯＶＩ、ＣＳＩ（Ｃｏｌｏｒ  Ｓｈｉｆｔｉｎｇ  Ｉｎｋ）等が存在する。多くのインキは物体色を有するが、虹彩色パールインキは無色透明である。例えば、赤色の虹彩色パールインキは、拡散反射光下において無色透明として視認されるが、正反射光下では、赤色の干渉色を発する。このように、「カラーフリップフロップ性」を備えたインキは、正反射光下で色相が変化する。
【００３１】
第一の画線（６）は、正反射光下において第一の色彩として視認され、第二の画線（７）は、正反射光下において第一の色彩と異なる第二の色彩として視認される必要がある。第一の画像（６）及び第二の画線（７）ともに拡散反射光下の色彩については、特に問わない。なお、第二の画線（７）については、一般的な着色インキで形成することもでき、この場合、拡散反射光下の色彩と正反射光下の色彩が同じとなるが、重要なのは正反射光下で第一の色彩と異なる色彩を呈することであって、拡散反射光下の色彩は、本発明の色変化印刷物（１）における付加的要素である。
【００３２】
以上の構成で形成した色変化印刷物（１）の効果について、図５を用いて説明する。この効果の説明では、色変化印刷物（１）の第一の画線（６）を緑色の干渉色を発するパール顔料を含有したパールインキで形成し、第二の画線（７）を赤色の物体色の着色インキで形成したと仮定する。図５（ａ）に示すように、色変化印刷物（１）のＡ´辺側にある光源（８ａ）から光が入射し、色変化印刷物（１）から生じる正反射光を観察者（９ａ）が観察した場合、緑色から黄緑色に見える印刷画像（３）のややＡ端よりに、赤色からオレンジまでの美しいグラデーションを伴った大きな縞（１０ａ）（以下、第１の実施の形態においては「赤色の縞」という。）を視認することができる。
【００３３】
また、図５(ｂ)に示すように、色変化印刷物（１）の直上に光源（８ｂ）が移動し、色変化印刷物（１）から生じる正反射光を観察者（９ｂ）が観察した場合、緑色の印刷画像（３）の中に生じる赤色の縞（１０ｂ）が上端へと移動し、かつ、下端にも新しく赤色の縞（１０ｂ）が現れる。
【００３４】
続いて、図５（ｃ）に示すように、色変化印刷物（１）のＡ辺側に光源（８ｃ）が移動し、色変化印刷物（１）から生じる正反射光を観察者（９ｃ）が観察した場合、緑色の印刷画像（３）の中の赤色の縞（１０ｃ）が下から上へと移動する。なお、本明細書において示す観察効果の図については、効果を把握しやすいように色変化印刷物（１）と光源（８）の角度をデフォルメして記載しているが、実際には、図５（ａ）から図５（ｃ）の角度の差は、大きくとも１０度以下であり、ある光源（８）から入射する光に対して、色変化印刷物（１）の角度をわずかに変えるだけで、図５（ａ）から図５（ｃ）までの色変化効果が生じる。以上のように、わずかな観察角度の変化によって、緑色の印刷画像（３）の中に彩度の高い赤色が出現する美しいグラデーションを伴った縞（１０ａ、１０ｂ、１０ｃ）がゆるやかに動いて見える。
【００３５】
以上のような効果が生じる原理について説明する。まず、印刷画像（３）中に生じる色彩である、すなわち、緑色の光の中にグラデーションを伴った赤色の縞（１０ａ、１０ｂ、１０ｃ）が生じる原理について説明する。赤色の縞（１０ａ、１０ｂ、１０ｃ）とは、第一の画線（６）と第二の画線（７）が干渉して生じる干渉縞（モアレ）である。また、干渉縞中に、赤色からオレンジ色までの繊細なグラデーションを伴う理由は、干渉縞中に、干渉が極めて強い部分からやや強い部分までの微妙な強弱の段階が存在するため、二つの画線の干渉が極めて強い部分は、第二の色彩が支配的な色彩である、すなわち、赤色となり、干渉がやや強い部分は、第二の色彩に第一の色彩が加わった合成色であるオレンジ色となり、その間に中間色も生じるためである。
【００３６】
また、赤色の縞（１０ａ、１０ｂ、１０ｃ）がない領域が緑色から黄緑色となるのは、この領域に干渉がほとんど生じないか、又は極めて弱いため、パール効果によって生じる第一の色彩が支配的な色彩である、すなわち、緑色が主体となり、少しでも干渉が生じた領域は、第一の色彩に第二の色彩が加わった合成色である黄緑色となるためである。以上のように、印刷画像（３）中の干渉が強い領域は、第二の色彩が支配的な色彩となり、干渉が弱い部分は、第一の色彩が支配的な色彩となる。
【００３７】
また、色変化印刷物（１）に対して、光源（８）から入射する光の角度の位置が変わることで、縞が上下に動いて見える原理について説明する。明暗フリップフロップ性及び／又はカラーフリップフロップ性を有する第一の画線（６）は、蒲鉾状の盛り上がりを有する画線であることから、入射する光の角度が変化することで、第一の画線（６）表面のうち、光を強く正反射する画線表面の位置が上下に変化する。例えば、Ａ辺側から光が入射した場合、それぞれの第一の画線（６）表面のうち、画線の盛り上がりの頂点よりＡ辺側の画線表面が強く光を正反射し、Ａ´辺側から光が入射した場合、それぞれの第一の画線（６）表面のうち、画線の盛り上がりの頂点よりＡ´辺側の画線表面が強く光を正反射する。入射する光がＡ辺側からＡ´辺側に移動することで、第一の画線（６）表面のうち、光を強く正反射する画線表面がＡ辺側からＡ´辺側に移動する。第一の画線（６）表面上には、第二の画線（７）が重ねられており、正反射した第一の画線（６）表面上にある第二の画線（７）は、第一の画線（６）と強く干渉してその色彩が強調されて可視化され、一方、正反射していない第一の画線（６）表面上にある第二の画線（７）は、第一の画線（６）と強く干渉せず、色彩は目立たずに可視化されない。第一の画線（６）の第一のピッチと第二の画線（７）の第二のピッチがわずかにずれている場合、入射する光が上下に移動することで、強く干渉して可視化される第一の画線（６）と第二の画線（７）の干渉によって生じる縞も、これに対応して上下に移動する。以上の原理によって、出現する縞が上下に動いて見える。
【００３８】
以上が、本発明の効果が生じる原理であり、すなわち、正反射光下で生じる動的な色彩変化は、第一の画線（６）と第二の画線（７）の干渉によって生じる。色彩を大きく変化させるために、第一の色彩と第二の色彩は、補色か、又はそれに近い関係であることが望ましい。印刷画像（３）中に現れる色彩は、第一の色彩と第二の色彩を合成した色彩に限定されるが、干渉の強弱によって、第一の色彩が強い部分、第二の色彩が強い部分及び完全な中間色となる部分等が存在することから、印刷画像（３）全体に繊細で鮮やかなグラデーションを生じさせることができる。
【００３９】
また、色変化印刷物（１）の傾きを変化させた場合の縞の動きを大きくするには、第一のピッチと第二のピッチを近い値とすれば良く、角度を変化させた場合の縞の動きを小さくするには、第一のピッチと第二のピッチを離れた値とすれば良い。ただし、第一のピッチと第二のピッチが離れすぎた値となると、縞がほとんど動いて見えなくなるため、第一のピッチの大きさを１００％とすると、第二のピッチの大きさを８０％から１２０％とすることが望ましい。
【００４０】
第一の実施の形態では、干渉によって生じた縞が印刷画像（３）の水平方向に生じているが、縞の方向とその動きの方向は、これに限定されるものではなく、任意に変えることができる。第一の画線（６）と第二の画線（７）のいずれか、又は両方の画線角度を傾けることで生じる縞の方向と動きの方向を変えることができる。仮に、縞の方向を９０度回転させて垂直方向に伸びた縦方向の縞として、動きの方法を水平方向に変えたい場合には、第一の画線（６）と第二の画線（７）の両方を９０度回転させれば良い。この場合、縦方向の伸びる縦縞は、色変化印刷物（１）を傾けた場合に左右方向に移動するため、縦縞に両眼視差を用いた遠近感を付与することができ、より多彩な表現が可能となる。この両眼視差を用いた縞の遠近感の制御については、ＷＯ２００９／１３９３９６号公報に記載のモアレの構成を準用すれば良い。
【００４１】
第一の実施の形態では、正反射光下で緑から赤へ色彩が変化する例として、緑色の干渉色を発するパールインキと赤色の着色インキを用いた例で説明したが、同じ効果は、赤色の干渉色を発するパールインキと緑色の着色インキを用いても実現することができる。また、本発明の効果は、この色彩に限定されるものではなく、紫から黄又は青から橙等、様々な色彩変化を実現することができる。また、正反射光下で生じる色彩は、二つに限定されるものではなく、三つ以上の色彩を表現することもできる。三つの色彩を表現する例については、後述する第三の実施の形態で具体的に説明する。
【００４２】
本発明の色変化印刷物（１）で生じる色彩変化とは、正反射光下で生じる効果であり、正反射光下のある特定の角度で観察した場合と、正反射光下の異なる角度で観察した場合とで色彩が変わる効果である。従来の色変化を特徴とした印刷物の多くは、拡散反射光下で観察される色彩と、正反射光下で観察される色彩が異なることを特徴とするものが多いが、本発明の色変化印刷物（１）は、これらの従来の色変化を特徴とした印刷物とは、色の変化が生じる条件が大きく異なる。従来の技術のように、拡散反射光下で観察される色彩と、正反射光下で観察される色彩とを変えるのは容易であり、最も単純な方法としては、例えば、緑色で印刷したベタ画像に、赤色の干渉色を発する虹彩色パールインキで印刷したベタ画像を重ねれば良い。また、同じインキの中に緑色の着色顔料と赤色の干渉色を発する虹彩色パールインキを配合し、ベタで印刷しても同様の効果が得られる。以上のような手法で形成した印刷画像は、拡散反射光下において緑色で観察され、正反射光下において赤色で観察される。このように、拡散反射光下の色彩と正反射光下の色彩を変えることは容易であり、従来の技術によって、既に実現されてきた効果であることから、本発明の色変化印刷物（１）のように、正反射光下のわずかな角度の変化で生じる色彩変化とは大きく異なる。
【００４３】
なお、本明細書中でいう正反射とは、物質にある入射角度で光が入射した場合に、入射した光の角度と略等しい角度に強い反射光が生じる現象を指し、拡散反射とは、物質にある入射角度で光が入射した場合に、入射した光の角度と異なる角度に弱い反射光が生じる現象を指す。例えば、虹彩色パールインキを例とすると、拡散反射の状態では、無色透明として観察されるが、正反射した状態では、特定の干渉色を発する。正反射光下で観察するとは、印刷物に入射した光の角度と略等しい反射角度に視点をおいて観察する状態を指し、拡散反射光下で観察するとは、印刷物に入射した光の角度と大きく異なる角度で観察する状態を指す。
【００４４】
（第二の実施の形態）
第一の実施の形態では、正反射光下で印刷画像中の一部の領域の色彩が変化する、いわゆる、動的な色彩変化を実現するための構成について説明したが、第二の実施の形態では、正反射光下において観察角度の変化に応じて印刷画像（３´）中の一部の領域ではなく、印刷画像（３´）全体の色彩が変化する構成について説明する。
【００４５】
印刷画像（３´）画像全体の色彩が変化する構成について、第二の画像（５´）の構成以外は、第一の実施の形態の説明で述べた構成と同じであるため、説明を省略し、色変化印刷物（１´）の概観や構造、第一の画像の構成等は、第一の実施の形態で説明した図１から図３までの構成をとるものとする。
【００４６】
第二の実施の形態における第二の画像（５´）について図６を用いて説明する。第二の画像（５´）は、正反射光下で第二の色彩を有する、画線幅Ｗ２の第二の画線（７´）が第一の画像（４´）のピッチＰ１と同じピッチＰ１で第二の方向（Ｓ１方向）に複数配されてなる。すなわち、本例では、ピッチＰ１とピッチＰ２とが同じ値である。
【００４７】
以上の構成で形成した色変化印刷物（１´）の効果について図７を用いて説明する。第一の実施の形態と同様に、色変化印刷物（１´）の第一の画線を緑色の干渉色を発するパール顔料を含有したパールインキで形成し、第二の画線（７´）を赤色の物体色の着色インキで形成したと仮定する。図７（ａ）に示すように、色変化印刷物（１´）のＡ´辺側にある光源（８ａ´）から光が入射し、色変化印刷物（１´）から生じる正反射光を観察者（９ａ´）が観察した場合、印刷画像（３´）全体が緑色の色彩として観察される。
【００４８】
また、図７（ｂ）に示すように、色変化印刷物（１´）の直上に光源（８ｂ´）が移動し、色変化印刷物（１´）から生じる正反射光を観察者（９ｂ´）が観察した場合、印刷画像（３´）全体は、黄色の色彩として観察される。さらに、図７（ｃ）に示すように、色変化印刷物（１´）のＡ辺側に光源（８ｃ´）が移動し、色変化印刷物（１´）から生じる正反射光を観察者（９ｃ´）が観察した場合、印刷画像（３´）全体は、赤色の色彩として観察される。すなわち、正反射光下のわずかな観察角度の変化で、印刷画像（３´）全体の色彩が緑色から黄色を経て赤色まで、ゆるやかに変化する。
【００４９】
第二の実施の形態において、ピッチＰ２をピッチＰ１と同じ値とすることで、第一の実施の形態のように色彩豊かな干渉縞（１０）が出現して動いて見える構成ではなく、印刷画像（３´）全体の色彩が入射する光の角度に応じて変化する効果が生じる。これは、第二の画線（７´）が第一の画線（６´）に重ねられた位置が、全ての第一の画線上において同じ位相に存在するため、画線同士の干渉が生じる角度と生じない角度が明確にわかれることから、印刷画像（３）中に干渉の強さが異なる領域が生じないためである。
【００５０】
（第三の実施の形態）
第三の実施の形態では、正反射光下で観察角度の変化に応じて印刷画像（３´´）中の特定の領域の色彩が特定の角度で変化する構成について説明する。
【００５１】
印刷画像（３´´）全体の色彩が変化する構成について、第二の画像（５´´）の構成以外は、第一の実施の形態や第二の実施の形態の説明で述べた構成と同じであるため、説明を省略し、色変化印刷物（１´´）の概観や構造、第一の画像（４´´）の構成等は、第一の実施の形態で説明した図１から図３までの構成をとるものとする。
【００５２】
第三の実施の形態における第二の画像（５´´）について図８を用いて説明する。第二の画像（５´´）は、正反射光下で第二の色彩を有する、画線幅Ｗ２の第二の画線（７ａ´´、７ｂ´´）が第一の画像のピッチＰ１と同じピッチＰ１で第二の方向（Ｓ１方向）に複数配されてなる。すなわち、本例では、ピッチＰ１とピッチＰ２とが同じ値である。ただし、図８の拡大図に示すように、第二の画像（５´´）の第一の領域（５ａ´´）と第二の領域（５ｂ´´）では、それぞれの第二の画線（７ａ´´、７ｂ´´）の位相をピッチＰ１の半分だけ上下にずらした構成となっている。
【００５３】
以上の構成で形成した色変化印刷物（１´´）の効果について図９を用いて説明する。第三の実施の形態では、色変化印刷物（１´´）の第一の画線を緑色の干渉色を発するパール顔料を含有したパールインキで形成し、第二の画線（７´´）を銀色のメタリックインキで形成したと仮定する。図９（ａ）に示すように、色変化印刷物（１´´）のＡ´辺側にある光源（８ａ´´）から光が入射し、色変化印刷物（１´´）から生じる正反射光を観察者（９ａ´´）が観察した場合、印刷画像（３´´）の第一の領域（５ａ´´）は、緑色の色彩として観察され、第二の領域（５ｂ´´）は、銀色の色彩として観察される。
【００５４】
また、図９（ｂ）に示すように、色変化印刷物（１´´）の直上に光源（８ｂ´´）が移動し、色変化印刷物（１´´）から生じる正反射光を観察者（９ｂ´´）が観察した場合、印刷画像（３´´）全体が、淡い緑色として観察される。さらに、図９（ｃ）に示すように、色変化印刷物（１´´）のＡ辺側に光源（８ｃ´´）が移動し、色変化印刷物（１´´）から生じる正反射光を観察者（９ｃ´´）が観察した場合、印刷画像（３´´）の第一の領域（５ａ´´）は、銀色の色彩として観察され、第二の領域（５ｂ´´）は、緑色の色彩として観察される。このように、観察角度のわずかな変化であっても、印刷画像（３´´）の第一の領域（５ａ´´）と第二の領域（５ｂ´´）の色彩が反転する効果を有する。
【００５５】
第二の実施の形態において部分的に第二の画線（７ａ´´、７ｂ´´）の位相を第一の方向（Ｓ１方向）にずらすことによって、印刷画像（３´´）の色彩を部分的に変えることができる。
【００５６】
（第四の実施の形態）
第四の実施の形態では、正反射光下において観察角度の変化に応じて印刷画像（３´´´）中に三種類の異なる色彩が生じる構成について説明する。この構成では、図１０に示すように、第一の画像（４´´´）の上に画線構成の異なる二つの画像として、第二の画像（５ａ´´´）と第三の画像（５ｂ´´´）を重ね合わせて形成する。
【００５７】
印刷画像（３´´´）の構成について、第二の画像（５´´´）の構成以外は、第一の実施の形態から第三の実施の形態までに述べた構成と同じであるため、説明を省略し、色変化印刷物（１´´´）の概観、第一の画像（４´´´）の構成等は、図１と図３で説明した構成をとるものとする。
【００５８】
図１１（ａ）に示す第三の実施の形態における第二の画像（５ａ´´´）は、正反射光下で第二の色彩を有する、画線幅Ｗ２の第二の画線（７ａ´´´）がピッチＰ２で第二の方向（Ｓ１方向）に複数配されてなる。図１１（ｂ）に示すもう一つの画像である第三の画像（５ｂ´´´）は、正反射光下で第三の色彩を有する、画線幅Ｗ３の第三の画線（７ｂ´´´）がピッチＰ３で第三の方向（Ｓ１方向）に複数配されてなる。第一のピッチであるＰ１及び第二のピッチであるＰ２並びに第三のピッチであるＰ３は、それぞれ同じでも良いし、異なっていても良く、第一の方向、第二の方向及び第三の方向も同様にそれぞれ同じでも良いし、異なっていても良い。なお、第三の実施の形態において、ピッチＰ1とピッチＰ２は異なっており、ピッチＰ１とピッチＰ３は同じ値であって、第一の方向、第二の方向及び第三の方向は、同じ方向である。
【００５９】
以上の構成で形成した色変化印刷物（１´´´）の効果について図１２を用いて説明する。第四の実施の形態では、色変化印刷物（１´´´）の第一の画線（６´´´）を緑色の干渉色を発するパール顔料を含有したパールインキで形成し、第二の画線（７ａ´´´）を銀色のメタリックインキで形成し、第三の画線（７ｂ´´´）を赤色の着色インキで形成したと仮定する。第二の画像（５ａ´´´）と第三の画像、５ｂ´´´）の積層順は、特に限定するものではないが、画線同士が重なりあった場合には、上に重ねられた画像の色彩のほうがやや強く干渉縞に反映される。第四の実施の形態においては、第一の画線（６´´´）の上に赤色の着色インキで印刷した第三の画線（７ｂ´´´）を重ねた後、銀色の着色インキで印刷した第二の画線（７ａ´´´）を重ねて色変化印刷物（１´´´）を形成した。
【００６０】
図１２（ａ）に示すように、色変化印刷物（１´´´）のＡ´辺側にある光源（８ａ´´´）から光が入射し、色変化印刷物（１´´´）から生じる正反射光を観察者（９ａ´´´）が観察した場合、緑色として観察される印刷画像（３´´´）のややＡ端よりに、白（銀）から淡い緑色までの美しいグラデーションを伴った大きな白い縞（１０ａ´´´）を視認することができる。
【００６１】
また、図１２（ｂ）に示すように、色変化印刷物（１´´´）の直上に光源（８ｂ´´´）が移動し、色変化印刷物（１´´´）から生じる正反射光を観察者（９ｂ´´´）が観察した場合、印刷画像（３´´´）の中に生じる白い縞（１０ｂ´´´）以外の領域が緑色から黄色へと変化し、また、白い縞（１０ｂ´´´）が上端へと移動し、かつ、下端にも新しく白い縞（１０ｂ´´´）が現れる。さらに、図１２（ｃ）に示すように、色変化印刷物（１´´´）のＡ辺側に光源（８ｃ´´´）が移動し、色変化印刷物（１´´´）から生じる正反射光を観察者（９ｃ´´´）が観察した場合、印刷画像（３´´´）の中の白い縞（１０ｃ´´´）以外の領域が黄色から赤色へと変化し、また白い縞（１０ｃ´´´）が下から上へと移動する。以上のように、印刷画像（３´´´）が正反射することで、緑色の中に白色から淡い緑色の美しいグラデーションを伴った縞（１０ａ´´´、１０ｂ´´´、１０ｃ´´´）が現れ、角度変化に伴って縞（１０ａ´´´、１０ｂ´´´、１０ｃ´´´）が上下に動き、印刷画像（３´´´）の縞（１０ａ´´´、１０ｂ´´´、１０ｃ´´´）以外の領域の色彩が緑色から黄色を経て、赤色へと変化する。
【００６２】
以上のように、第二の画像を第二の色彩と第三の色彩の二種類の色で構成することによって、より複雑で動的な色彩変化を実現することができる。第二の画像（５ａ´´´）と第三の画像（５ｂ´´´）の、それぞれの画線幅Ｗ２及びＷ３は、同じでも異なっていても良いが、色変化を大きく見せたい場合には、Ｗ２とＷ３の合計の画線幅が第一の画像（４´´´）のピッチＰ１の値を上回らないことが望ましい。Ｗ２とＷ３の合計の画線幅が第一の画像（４´´´）のピッチＰ１の値を上回ってしまう場合には、第一から第三までのいずれかの色彩が印刷画像（３´´´）中に出現しない場合があるためである。
【００６３】
また、第二の画像（５ａ´´´）を形成する第二の画線（７ａ´´´）のピッチと第三の画像（５ｂ´´´）を形成する第三の画線（７ｂ´´´）のピッチは、同じでも異なっていても良いが、第二の画線（７ａ´´´）と第三の画線（７ｂ´´´）同士が完全に重なり合わないことが望ましい。第二の画線（７ａ´´´）と第三の画線（７ｂ´´´）同士が完全に重なり合った場合には、出現する干渉縞（１０´´´）の色彩が全て第二の色彩と第三の色彩の合成色の単色の色彩となり、第二の色彩と第三の色彩の原色に近い色彩や、その中間色にあたる微妙な色彩を出現させることができず、色表現域が狭くなるためである。仮に、第二の画像（５ａ´´´）と第三の画像（５ｂ´´´）の刷り合わせが制御できない場合には、第二の画線（７ａ´´´）のピッチと第三の画線（７ｂ´´´）のピッチを変えた画線構成とすることで、いずれかの部分で第二の画線（７ａ´´´）と第三の画線（７ｂ´´´）が重なってしまったとしても、その他の部分で第二の画線（７ａ´´´）と第三の画線（７ｂ´´´）が重なり合わない画線配置とすることができる。
【００６４】
なお、本発明における「色彩」とは、色相、彩度及び明度の概念を含んで色を表したものであり、また、「色相」とは、赤、青及び黄といった色の様相のことであり、具体的には、可視光領域（４００〜７００ｎｍ）の特定の波長の強弱の分布を示すものである。
【００６５】
本発明の第一の画像（４）を形成する第一の画線（６）は、盛り上がりを有する画線を形成することが必須であることから、印刷画線に盛り上がりを形成可能な印刷方式で印刷することが望ましい。すなわち、フレキソ印刷、グラビア印刷、凹版印刷及びスクリ−ン印刷等、公知の印刷方式によって形成することができる。また、容易に視認することができる程度の視認性を確保するためには、第一の画線（６）の画線の盛り上がり高さを２μm以上とする必要がある。盛り上がり高さの上限は特にないが、堅ろう性や流通適性を考慮すると１ｍｍ以下に留めることが望ましい。
【００６６】
また、実施の形態のように、印刷で直接画線の盛り上がりを形成するのではなく、エンボス加工や透き入れによって基材上に凹凸構造を形成して、その上に印刷被膜を形成したり、フィルムを貼付して第一の画像（４）としても良い。
【００６７】
本発明における第二の画像（５）は、盛り上がりを有する画線を形成する必要はなく、平坦な構造で良い。すなわち、オフセット印刷、凸版印刷、フレキソ印刷、グラビア印刷、凹版印刷、スクリ−ン印刷等、公知の印刷方法で形成することができる。第二の画線（７）については、正反射光下で第二の色彩として視認される構成を必須とするが、この条件を満たすインキは、物体色を有する一般的な着色インキ及びメタリックインキ等のあらゆるインキが含まれるため、色彩選択の自由度は極めて高い。なお、第二の画線（７）には、第一の画線（６）のような明暗フリップフロップ性及び／又はカラーフリップフロップ性を有することは必須ではないが、これらの性質を備えた第二の画線（７）を形成した場合、生じさせる色彩変化の幅が広くなる。特に、第一の画線（６）及び第二の画線（７）に異なる干渉色の虹彩色パールインキを用いて色変化印刷物（１）を構成した場合、拡散反射光下では、透明として観察された印刷画像（３）が、正反射光下において複数の色相に彩られるため、観察者にとってインパクトが強く、真偽判別性や偽造抵抗力により優れた構成となる。
【００６８】
第一の実施の形態から第四の実施の形態までの四つの例における印刷画像（３）の形状は、いずれも単純な円で表したが、これに限定されるものではなく、文字、数字、記号及びマーク等の有意情報を表しても良い。
【００６９】
以下、前述の発明を実施するための最良の形態にしたがって、具体的に作製した色変化印刷物の実施例について詳細に説明するが、本発明は、以下の実施例に限定されるものではない。なお、実施例１及び実施例２では、印刷画像（３）自体が特定の有意情報を表した構成としている。
【実施例１】
【００７０】
図１３に実施例１の色変化印刷物（１−１）を示す。図１３（ａ）は、実施例１の色変化印刷物（１−１）における正面図であり、図１３（ｂ）に示すのは、色変化印刷物（１−１）のＡ‐Ａ´ラインにおける断面図である。色変化印刷物（１−１）は、基材（２−１）上に、印刷画像（３−１）が形成されてなる。基材（２−１）は、白色コート紙（エスプリコートＦＭ  日本製紙製）を用いた。
【００７１】
実施例１の色変化印刷物（１−１）における印刷画像（３−１）の構成の概要について図１４を用いて説明する。印刷画像（３−１）は、第一の画像（４−１）の上に、第二の画像（５−１）を重ね合わせて形成した。実施例１において第一の画像（４−１）及び第二の画像（５−１）は、いずれも数字の「１０」の文字を表してなる。
【００７２】
図１５（ａ）に第一の画像（４−１）を示す。第一の画像（４−１）は、表１に示した着色パールインキを用いて盛り上がりのある蒲鉾状の画線幅０．３ｍｍの第一の画線（６−１）が０．４ｍｍピッチで第一の方向（Ｓ１方向）に複数配されてなる。表１のインキは、拡散反射光下では、黒色として観察されるが、正反射光下では、金色の干渉色を発する光学特性を有する。以上のような構成の第一の画像（４−１）をＵＶ乾燥方式のスクリーン印刷で基材（２−１）上に印刷した。印刷した第一の画線（６−１）における盛り上がりの高さは、１５μｍであった。なお、表１に記載の着色パールインキ中の虹彩色パール顔料は、特開２００１−１０６９３７号公報に記載の撥水撥油処理を施している。この処理を施すことで、蒲鉾状の第一の画線（６−１）の画線表面にパール顔料が向きを揃えて配向するため、より高いパール効果を得ることができる。また、黒色の着色顔料をパールインキ中に配合することで、入射した光中の虹彩色パール顔料の干渉色以外の色彩の光を吸収する効果が得られるため、パールの干渉色が強調される効果が生じる。
【００７３】
図１５（ｂ）に第二の画像（５−１）を示す。第二の画像（５−１）は、青色の着色インキを用いて印刷した、画線幅０．２ｍｍの第二の画線（７−１）が０．４１２ｍｍピッチで複数配されてなる。以上のような構成の第二の画像（５−１）をＵＶ乾燥方式のオフセット印刷で第一の画像（４−１）上に印刷した。本実施例における第一の色彩は金色であり、第二の色彩は青色である。
【００７４】
【表１】
2014083721.tif 000003
【００７５】
以上の構成で形成した色変化印刷物（１−１）の効果について図１６を用いて説明する。拡散反射光下では、黒色で「１０」の数字が形成された印刷画像（３−１）として視認されたが、図１６（ａ）に示すように、色変化印刷物（１−１）のＡ´辺側にある光源（８ａ−１）から光を入射させ、色変化印刷物（１−１）から生じる正反射光を観察したところ、やや青味を帯びた金色に見える印刷画像（３−１）のややＡ端よりに、青色から青緑色までの美しいグラデーションを伴った大きな縞（１０ａ−１）（以下、実施例１において「青色の縞」という。）が視認された。
【００７６】
また、図１６（ｂ）に示すように、色変化印刷物（１−１）の直上の光源（８ｂ−１）から光を入射させ、色変化印刷物（１−１）から生じる正反射光を観察したところ、青味を帯びた金色の印刷画像（３−１）の中に生じる青色の縞（１０ｂ−１）が上端へと移動し、かつ、下端にも新しく青色の縞（１０ｂ−１）が現れた。さらに、図１６（ｃ）に示すように、色変化印刷物（１−１）のＡ辺側の光源（８ｃ−１）から光を入射させ、色変化印刷物（１−１）から生じる正反射光を観察したところ、青味を帯びた金色の印刷画像（３−１）の中に生じる青色の縞（１０ｃ−１）が下から上へと移動した。
【００７７】
以上のように、正反射光下において観察角度をわずかに変化させることで、青味がかった金色の中に、彩度の高い青色の美しいグラデーションを伴った縞（１０ａ−１、１０ｂ−１、１０ｃ−１）がゆるやかに動いて見えることを確認することができた。
【実施例２】
【００７８】
実施例２は、異なる色彩で印刷した第二の画像と第三の画像を有する例であり、正反射光下で異なる三つの色彩が発現する効果を有する色変化印刷物である。
【００７９】
図１７に実施例２の色変化印刷物（１−２）を示す。図１７（ａ）は、実施例２の色変化印刷物（１−２）の正面図であり、図１７（ｂ）は、色変化印刷物（１−２）のＡ‐Ａ´ラインにおける断面図である。色変化印刷物（１−２）は、基材（２−２）の上に、印刷画像（３−２）が形成されてなる。基材（２−２）は、実施例１と同様に白色コート紙（エスプリコートＦＭ  日本製紙製）を用いた。
【００８０】
本発明の印刷画像（３−２）の構成の概要について図１８を用いて説明する。印刷画像（３−２）は、第一の画像（４−２）の上に、異なる色彩の第二の画像（５ａ−２）と第三の画像（５ｂ−２）を重ね合わせて形成した。実施例２における第一の画像（４−２）、第二の画像（５ａ−２）及び第三の画像（５ｂ−２）は、いずれも数字の「１０」の文字を表してなる。
【００８１】
図１９に第一の画像（４−２）を示す。第一の画像（４−２）は、表２に示した着色パールインキを用いて盛り上がりのある蒲鉾状の画線幅０．３ｍｍの第一の画線（６−２）が、０．４ｍｍピッチで第一の方向（Ｓ１方向）に複数配されてなる。表２のインキは、拡散反射光下では、黒色として観察されるが、正反射光下では、緑色の干渉色を発する光学特性を有する。
【００８２】
以上のような構成の第一の画像（４−２）を、ＵＶ乾燥方式のスクリーン印刷で基材（２−２）上に印刷した。印刷した第一の画線（６−２）における盛り上がりの高さは、１５μｍであった。なお、表２に記載の着色パールインキ中の虹彩色パール顔料は、表１の着色パールインキと同様に、特開２００１−１０６９３７号公報に記載の撥水撥油処理を施したものを用いた。
【００８３】
【表２】
2014083721.tif 000004
【００８４】
図２０（ａ）及び図２０（ｂ）に第二の画像（５ａ−２）と第三の画像（５ｂ−２）を示す。第二の画像（５ａ−２）は、メタリックインキである銀インキ（ミラシーン  ウォールステンホルム社製）を用いて、画線幅０．１２５ｍｍ、画線ピッチが０．４１２ｍｍの複数の第二の画線（５ａ−２）が配列されてなる。また、第三の画像（５ｂ−２）は、赤色の着色インキを用いて、画線幅０．２ｍｍ、画線ピッチが０．４ｍｍの複数の第三の画線（７ｂ−２）が配列されてなる。以上のような構成の第二の画像（５ａ−２）と第三の画像（５ｂ−２）をＵＶ乾燥方式のオフセット印刷で第一の画像（４−２）上に印刷した。
【００８５】
それぞれの画線を形成する順序については、第一の画線（６−２）の上に、赤色の着色インキで印刷した第三の画線（７ｂ−２）を重ねた後に、銀色の着色インキで印刷した第二の画線（７ａ−２）を重ねて色変化印刷物（１−２）を形成した。実施例２における第一の色彩は、緑色であり、第二の色彩は、銀色であり、第三の色彩は、赤色である。
【００８６】
以上の構成で形成した色変化印刷物（１−２）の効果について図２１を用いて説明する。拡散反射光下では、緑味を帯びた黒色により「１０」の数字が形成された印刷画像（３−２）が観察されるだけであったが、図２１（ａ）に示すように、色変化印刷物（１−２）のＡ´辺側にある光源（８ａ−２）から光を入射させ、色変化印刷物（１−２）から生じる正反射光を観察したところ、緑色に見える印刷画像（３−２）のややＡ端よりに、白色（銀色）から淡い緑色までの美しいグラデーションを伴った大きな白色の縞（１０ａ−２）を視認することができた。
【００８７】
また、図２１（ｂ）に示すように、色変化印刷物（１−２）の直上の光源（８ｂ−２）から光を入射させ、色変化印刷物（１−２）から生じる正反射光を観察したところ、白色の縞（１０ｂ−２）以外の印刷画像（３−２）が緑色から黄色へと変化し、白色の縞（１０ｂ−２）が上端へと移動し、かつ、下端にも新しく白色の縞（１０ｂ−２）が現れた。さらに、図２１（ｃ）に示すように、色変化印刷物（１−２）のＡ辺側の光源（８ｃ−２）から光を入射させ、色変化印刷物（１−２）から生じる正反射光を観察したところ、白色の縞（１０ｃ−２）以外の印刷画像（３−２）は、黄色から赤色へと変化し、白色の縞（１０ｃ−２）が下から上へと移動した。
【００８８】
以上のように、正反射光下において観察角度をわずかに変化させることで、印刷画像（３−２）が発する緑色の中に、白色から淡い緑色の美しいグラデーションを伴った白い縞模様（１０ａ−２、１０ｂ−２、１０ｃ−２）が出現し、色変化印刷物（１−２）の色がゆるやかに動いて見えるとともに、緑色の色彩も黄色を経て、赤色に変化することを確認することができた。
【符号の説明】
【００８９】
１、１´、１´´、１´´´、１−１、１−２  色変化印刷物
２、２−１、２−２  基材
３、３´、３´´、３´´´、３−１、３−２  印刷画像
４、４´´´、４−１、４−２  第一の画像
５、５´、５´´、５ａ´´、５ａ´´´、５−１、５ａ−２第二の画像
５ｂ´´、５ｂ´´´  、５ｂ−２  第三の画像
６、６−１、６−２  第一の画線
７、７´、７ａ´´、７ａ´´´、７−１、７ａ−２、７ｂ−２  第二の画線
７ｂ´´、７ｂ´´´、７ｂ−２    第三の画線
８ａ、８ｂ、８ｃ、８ａ´、８ｂ´、８ｃ´、８ａ´´、８ｂ´´、８ｃ´´、８ａ´´´、８ｂ´´´、８ｃ´´´、８ａ−１、８ｂ−１、８ｃ−１、８ａ−２、８ｂ−２、８ｃ−２  光源
９ａ、９ｂ、９ｃ、９ａ´、９ｂ´、９ｃ´、９ａ´´、９ｂ´´、９ｃ´´、９ａ´´´、９ｂ´´´、９ｃ´´´、９ａ−１、９ｂ−１、９ｃ−１、９ａ−２、９ｂ−２、９ｃ−２  観察者の視点
１０ａ、１０ｂ、１０ｃ、１０ａ´´´、１０ｂ´´´、１０ｃ´´´、１０ａ−１、１０ｂ−１、１０ｃ−１、１０ａ−２、１０ｂ−２、１０ｃ−２  縞
【図１】
2014083721.tif 000005
【図２】
2014083721.tif 000006
【図３】
2014083721.tif 000007
【図４】
2014083721.tif 000008
【図５】
2014083721.tif 000009
【図６】
2014083721.tif 000010
【図７】
2014083721.tif 000011
【図８】
2014083721.tif 000012
【図９】
2014083721.tif 000013
【図１０】
2014083721.tif 000014
【図１１】
2014083721.tif 000015
【図１２】
2014083721.tif 000016
【図１３】
2014083721.tif 000017
【図１４】
2014083721.tif 000018
【図１５】
2014083721.tif 000019
【図１６】
2014083721.tif 000020
【図１７】
2014083721.tif 000021
【図１８】
2014083721.tif 000022
【図１９】
2014083721.tif 000023
【図２０】
2014083721.tif 000024
【図２１】
2014083721.tif 000025